(57)【特許請求の範囲】
【請求項１】
撮像手段を介して取得した画像データを着脱自在な外部記憶媒体に記録する電子カメラシステムにおいて、
装着された外部記憶媒体の応答時間を実測定する測定手段と、
前記測定手段で測定した時間値に基づいて、当該外部記憶媒体の使用の可否を判定する判定手段と、
を備えたことを特徴とする電子カメラシステム。
【請求項２】
前記測定手段は、外部記憶媒体の装着時、又は電子カメラシステムの電源投入時に、外部記憶媒体に対してリセットをかけ、リセット時点から外部記憶媒体がレディ状態になるまでに要する時間を測定することを特徴とする請求項１記載の電子カメラシステム。
【請求項３】
前記測定手段は、装着された外部記憶媒体からデータの読み出し処理を行い、その読み出し処理に要した時間を測定することを特徴とする請求項１記載の電子カメラシステム。
【請求項４】
請求項１〜３何れか１の請求項に記載の電子カメラシステムであって、前記測定手段で測定された時間が所定の閾値よりも長い場合に当該外部記憶媒体は使用できない媒体であると判定する判定手段を備えたことを特徴とする電子カメラシステム。
【請求項５】
請求項１〜４何れか１の請求項に記載の電子カメラシステムの撮影記録処理において、撮像手段から読み出した画像信号に基づいて輝度信号及び色差信号を生成するＹ／Ｃ処理工程と、外部記憶媒体へデータの書き込みを行う前の準備処理として該外部記憶媒体に記述されている情報の読み出しを行うカードアクセス工程とが並行して行われるシーケンスが組まれ、
前記Ｙ／Ｃ処理工程に要する時間をＴ1 、前記カードアクセス工程に要する時間をＴ2 とする時、Ｔ1 ＜Ｔ2 となる外部記憶媒体を使用不能な媒体と規定していることを特徴とする電子カメラシステム。
【請求項６】
請求項１〜４何れか１の請求項に記載の電子カメラシステムの撮影記録処理において、撮像手段を介して画像データの取り込みを行う画像取込工程に続き、前記画像取込工程で取得した画像データに基づいて輝度信号及び色差信号を生成するＹ／Ｃ処理工程が行われる一方、外部記憶媒体へデータの書き込みを行う前の準備処理として該外部記憶媒体に記述されている情報の読み出しを行うカードアクセス工程が前記画像取込工程及び前記Ｙ／Ｃ処理工程と並行して行われるシーケンスが組まれ、
前記画像取込工程の開始から前記Ｙ／Ｃ処理工程の終了までに要する時間をＴ1 ′、前記カードアクセス工程に要する時間をＴ2 ′とする時、Ｔ1 ′＜Ｔ2 ′となる外部記憶媒体を使用不能な媒体と規定していることを特徴とする電子カメラシステム。
【請求項７】
請求項５又は６記載の電子カメラシステムであって、前記測定手段の測定で得られた時間値からカードアクセス工程に要する時間を推定評価することにより当該外部記憶媒体の使用の可否を判定することを特徴とする電子カメラシステム。
【請求項８】
前記判定手段によって使用不能な媒体であると判定した場合にその旨を提示する警告手段を具備したことを特徴とする請求項１〜７の何れか１の請求項に記載の電子カメラシステム。
【発明の詳細な説明】
【０００１】
【発明の属する技術分野】
本発明は電子カメラシステムに係り、特にメモリカード等の外部記憶媒体を読み書きする手段を備えた電子カメラシステムに関する。
【０００２】
【従来の技術】
一般に、デジタルカメラ等の電子カメラは、撮影レンズを通してＣＣＤ等の撮像素子に結像させた被写体像を電気信号に変換し、取得した画像データをメモリカード等の外部記憶媒体に記録する。
【０００３】
【発明が解決しようとする課題】
しかしながら、カメラ内に搭載されているマイコンの性能によって、外部記憶媒体への読み書き速度が異なる（特開平８−２８９１８５号公報参照）。また、メモリカードは製造メーカや製品によって動作速度（アクセス速度）が異なるため、使用するメモリカードによって撮影記録時間が大きく左右されるという問題がある。このため、撮影記録時間や撮影間隔（撮影インターバル）など電子カメラの性能に関する仕様が明確でなかった。
【０００４】
なお、メモリカード内部の属性情報領域にアクセス速度が記述されているものもあるが（特開平１０−４００２０号公報）、この値にはアクセス時のWAIT時間が含まれていないことが多い。実際には、アクセス時のWAIT時間をも含めたアクセス時間が問題となるが、上記のように「アクセス速度」の定義が不明確なため、かかる情報を有効に活用することができないという不具合がある。このように、従来はメモリカードに対する真のアクセス時間を把握するのは困難であった。
【０００５】
本発明はこのような事情に鑑みて成されたもので、撮影記録時間や撮影間隔の仕様を明確にすると共に、その仕様の動作を保証することができる電子カメラシステムを提供することを目的とする。
【０００６】
【課題を解決する為の手段】
前記目的を達成する為に、本願請求項１記載の発明は、撮像手段を介して取得した画像データを着脱自在な外部記憶媒体に記録する電子カメラシステムにおいて、装着された外部記憶媒体の応答時間を実測定する測定手段と、前記測定手段で測定した時間値に基づいて、当該外部記憶媒体の使用の可否を判定する判定手段と、を備えたことを特徴としている。
【０００７】
本発明によれば、システムに外部記憶媒体を装着すると、測定手段によって当該外部記憶媒体のアクセス時間（応答時間）を実際に測定する。そして、その測定結果に基づいて、当該外部記憶媒体が本システムにおいて使用可能な物であるか否かを判定手段で判断する。これにより、個々の外部記憶媒体について、真のアクセス時間を正確に把握することができ、使用可否について正しい判定が可能になる。
【０００８】
測定手段及び判定手段は種々の態様が考えられるが、例えば、請求項２記載の如く、前記測定手段として、外部記憶媒体の装着時、又は電子カメラシステムの電源投入時に、外部記憶媒体に対してリセットをかけ、リセット時点から外部記憶媒体がレディ状態になるまでに要する時間を測定する手段を採用する。外部記憶媒体の装着時、又は電源投入時のようにシステム立ち上げの直後、早期に媒体の使用可否の判定をすることが好ましい。また、請求項３に記載の如く、前記測定手段として、装着された外部記憶媒体からデータの読み出し処理を行い、その読み出し処理に要した時間を測定する手段を採用する態様も可能である。
【０００９】
そして、請求項４に記載したように、測定手段で測定した時間が所定の閾値よりも長い場合に当該外部記憶媒体は使用できない媒体であると判定する判定手段を設ける態様が可能である。かかる態様によれば、外部記憶媒体の情報読み出し時間を実際に測定し、その時間が所定の値（閾値）よりも長い場合は使用できない外部記憶媒体であると判定する。これにより、アクセス時間の長い外部記憶媒体を排除することができる。
【００１０】
また、請求項５に記載の如く、本発明の電子カメラシステムの撮影記録処理において、撮像手段から読み出した画像信号に基づいて輝度信号及び色差信号を生成するＹ／Ｃ処理工程と、外部記憶媒体へデータの書き込みを行う前の準備処理として該外部記憶媒体に記述されている情報の読み出しを行うカードアクセス工程とが並行して行われるシーケンスが組まれている場合、前記Ｙ／Ｃ処理工程に要する時間をＴ1 、前記カードアクセス工程に要する時間をＴ2 とする時、Ｔ1 ＜Ｔ2 となる外部記憶媒体を使用不能な媒体と規定することが好ましい。
【００１１】
これは、Ｔ1 ＜Ｔ2 となる外部記憶媒体を使用した場合、Ｙ／Ｃ処理が終了してもカードアクセス工程が完了していないことになり、Ｙ／Ｃ処理後直ちに画像データを外部記憶媒体に記録する工程に移行できず、撮影記録の処理時間が遅延するからである。
カードアクセス工程がＹ／Ｃ処理時間Ｔ1 内に完了するもの（Ｔ1 ≧Ｔ2 ）であれば、Ｙ／Ｃ処理後直ちに画像データの記録処理に移行でき、撮影記録時間をある一定の値に保証することができる。
【００１２】
請求項６に記載の発明に係る電子カメラシステムは、撮像手段を介して画像データの取り込みを行う画像取込工程に続き、前記画像取込工程で取得した画像データに基づいて輝度信号及び色差信号を生成するＹ／Ｃ処理工程が行われる一方、外部記憶媒体へデータの書き込みを行う前の準備処理として該外部記憶媒体に記述されている情報の読み出しを行うカードアクセス工程が前記画像取込工程及び前記Ｙ／Ｃ処理工程と並行して行われるシーケンスが組まれているものであって、前記画像取込工程の開始から前記Ｙ／Ｃ処理工程の終了までに要する時間をＴ1 ′、前記カードアクセス工程に要する時間をＴ2 ′とする時、Ｔ1 ′＜Ｔ2 ′となる外部記憶媒体を使用不能な媒体と規定していることを特徴としている。
【００１３】
電子カメラシステムのハード的な構成によっては、画像取込工程と同時にカードアクセス工程を開始して両工程を並行処理する形態が可能である。この場合、画像取込工程からＹ／Ｃ処理工程終了までに要する時間（Ｔ1 ′）内にカードアクセス工程が終了しないもの（Ｔ1 ′＜Ｔ2 ′）を使用不能として排除する。
なお、装着された外部記憶媒体が使用できるものであるか否かを判断する際には、請求項７に記載の如く、測定手段の測定で得られた時間値からカードアクセス工程に要する時間Ｔ2 （又はＴ2 ′）を推定評価することにより当該外部記憶媒体の使用の可否を判定する。測定手段で測定した時間は、当該外部記憶媒体の真のアクセス速度を反映するものであり、かかる時間を測定することによって、撮影記録シーケンスにおけるカードアクセス工程に要する時間Ｔ2 （又はＴ2 ′）を予測（推定評価）することができる。
【００１４】
例えば、測定手段の一態様として、外部記憶媒体の装着時、又は電子カメラシステムの電源投入時に、外部記憶媒体に対してリセットをかけ、リセット時点から外部記憶媒体がレディ状態になるまでに要する時間を測定する手段を採用した場合、外部記憶媒体のリセットからレディ状態になるまでの時間は、当該外部記憶媒体のアクセス速度を反映するものであり、かかる時間を測定することによって、撮影記録シーケンスにおけるカードアクセス工程に要する時間Ｔ2 （又はＴ2 ′）を予測することができる。勿論、他の測定手段を採用した場合もこれと同様に、測定手段で測定した時間に基づいてカードアクセス工程に要する時間Ｔ2 （又はＴ2 ′）を予測することができる。
【００１５】
更に、本発明の電子カメラシステムにおいては、請求項８に記載の如く、判定手段によって使用不能な媒体であると判定した場合にその旨を提示する警告手段を設けることが好ましい。これにより、システムで使用できない外部記憶媒体が装着された時には、警告手段がその旨を警告し、ユーザに媒体の交換を促す。
【００１６】
【発明の実施の形態】
以下添付図面に従って本発明に係る電子カメラシステムの好ましい実施の形態について説明する。
図１は本発明の一実施の形態に係る電子カメラの構成を示すブロック図であり、図２は、撮影記録処理のシーケンスを示すタイムチャートである。
【００１７】
図１に示したように、電子カメラ１０は、主として、被写体からの光を電気信号に変換する撮像素子（ＣＣＤ）１２と、撮像素子１２から読み出された電気信号（アナログ電圧信号）をデジタル信号に変換するＡ／Ｄ変換器１４、輝度色差信号変換回路（以下、Ｙ／Ｃ処理部という。）１６、バス１８、１９、２０、２１、２２、バッファ２４、２５、２６、第１メモリコントローラ２８、ダイナミック・ランダムアクセスメモリ（ＤＲＡＭ）２９、中央演算処理装置（ＣＰＵ）３０、液晶表示パネル駆動回路（ＬＣＤドライバ）３２、液晶表示パネル（警告手段に相当）３３、第２メモリコントローラ３５、フレームメモリに相当するＤＲＡＭ３６、圧縮／伸長回路３８、ＰＣカードインターフェース４０、ＰＣカード４２等から構成される。なお、図示されていないが、ＰＣカード４２を着脱するカード装着部にはＰＣカード４２が装着されているか否かを検出するカード検出手段が配設されており、このカード検出手段の検出信号がＣＰＵ３０に通知されるようになっている。
【００１８】
この電子カメラ１０の構造を画像データの取得手順に沿って説明する。電子カメラ１０の撮影記録処理の工程は、図２に示すように、カメラハードウエアの内部動作（図２の上段）と、ＰＣカード４２に対する動作、即ち、対カード動作（図２の下段）との２系統に大別される。内部動作の手順としては、画像取り込みの第１工程（画像取込▲１▼）、画像取り込みの第２工程（画像取込▲２▼）、Ｙ／Ｃ処理工程、及び圧縮処理工程から成り、Ｙ／Ｃ処理工程と並行してカードアクセス工程が行われ、圧縮処理工程と並行してカード書き込み処理が行われる。
【００１９】
先ず、画像取り込みの第１工程を述べる。図３に示すように、撮影レンズ（不図示）を通してＣＣＤ１２の受光面に結像された被写体像は、各センサで光の入射光量に応じた量の信号電荷に変換される。こうして蓄積された信号電荷は、図示せぬＣＣＤ駆動回路から加えられるリードゲートパルスによってシフトレジスタに読み出され、レジスタ転送パルスによって信号電荷に応じた電圧信号（アナログ画像信号）として順次読み出される。
【００２０】
ＣＣＤ１２から読み出されたアナログ画像信号は、色分離及びゲインコントロールなどの所定のアナログ処理を経た後、Ａ／Ｄ変換器１４に加えられる。Ａ／Ｄ変換器１４は、点順次で入力するＲ，Ｇ，Ｂ信号を順次デジタル信号に変換し、Ｙ／Ｃ処理部１６へと出力する。
Ｙ／Ｃ処理部１６は、この段階（画像取込▲１▼）ではＹ／Ｃ変換を実行せずに、Ａ／Ｄ変換器１４から受入した画像データを、ＲＧＢ信号の形態でＣＣＤバス１９を介してバッファ２４へと転送する。バッファ２４に格納された画像データはＣＣＤ・ＰＭＤバス２１及び第１メモリコントローラ２８を経由してＤＲＡＭ２９に記憶される。ここまでが画像取り込みの第１工程である。
【００２１】
続く、画像取り込みの第２工程は、図４に示すように、ＤＲＡＭ２９に記憶した画像データを第１メモリコントローラ２８により読み出し、ＣＣＤ・ＰＭＤバス２１、バッファ２４、及びＣＣＤバス１９を経由して第２メモリコントローラ３５に導く。そして、第２メモリコントローラ３５の制御のもとで、ＲＧＢの画像データをＤＲＡＭ３６に格納する。ここまでが画像取り込みの第２工程である。
【００２２】
このように、画像取込工程を２段階に分けているのは、以下の理由による。即ち、第１工程（画像取込▲１▼）において画像データが格納されるＤＲＡＭ２９は、大容量（例えば、１６Ｍｂｙｔ程度）を有し、連写撮影時はＣＣＤ１２から出力される一連の画像データ（複数コマ分のＣＣＤ画像データ）を、一時的に格納するバッファメモリとして使用される。１６ＭｂｙｔのＤＲＡＭ２９の場合、最大で１２コマ分の画像データを格納できる。そして、Ｙ／Ｃ処理、圧縮・書き込み処理等は、撮影処理及び一連のＣＣＤ画像データの取込処理（画像取込▲１▼）の終了後に、まとめて行われる。こうすることにより、連写（連続撮影）の速さを高めることができる。
【００２３】
本例では、連写以外の通常の撮影の場合にも、ＤＲＡＭ２９を介してＣＣＤ画像データを最終的にＤＲＡＭ３６に格納する構成を採用し、画像取込処理の統一を図っている。なお、連写撮影を考慮しなければ、ＣＣＤ画像データを直接ＤＲＡＭ３６に格納するという形態も可能であり、この場合、ＤＲＡＭ２９を省略することができる。かかる態様については、後述の第２の実施の形態において言及する。
【００２４】
次に、Ｙ／Ｃ処理について説明する。
Ｙ／Ｃ処理工程では、図５に示すようにＤＲＡＭ３６を活用しながら、Ｙ／Ｃ処理部１６においてＲＧＢ信号をＹＣ変換によって輝度信号Ｙと色差信号Ｂ−Ｙ，Ｒ−Ｙに変換する。即ち、第２メモリコントローラ３５の制御に基づいて、ＤＲＡＭ３６からＲＧＢの画像データを読み出し、その画像データをＣＣＤバス１９を介してＹ／Ｃ処理部１６へと導く。Ｙ／Ｃ処理部１６は、受入したＲＧＢデータから輝度信号及び色差信号を生成する。Ｙ／Ｃ変換されたデータはＤＡＴバス１８、及び第２メモリコントローラ３５を経由してＤＲＡＭ３６へ格納される。ここまでがＹ／Ｃ処理工程である。
【００２５】
上記Ｙ／Ｃ処理工程と並行して、ＰＣカード４２に対するアクセスが行われる。カードアクセス工程は、ＰＣカード４２の情報を読み出してディレクトリをサーチするなど、画像データを記録するのに必要な準備作業を行う工程である。図６にはカードアクセス工程における信号の伝達経路が示されている。同図に示すように、カードアクセス工程では、ＣＰＵ３０がＰＣカード４２の情報を読み出すための命令信号（コマンド）を出力する。このコマンドはＣＰＵバス２２、バッファ２６、ＣＣＤ・ＰＭＤバス２１、バッファ２５及びＰＭＤバス２０を介してＰＣカードインターフェース４０に導かれる。そして、ＰＣカードインターフェース４０を介してＰＣカード４２の情報読み出しが行われる。ＰＣカード４２から読み出された情報は、上述のコマンドの伝達経路と逆の経路を辿ってＣＰＵ３０に入力される。
【００２６】
カードアクセス工程において使用するバス（２０、２１、２２）と、前述したＹ／Ｃ処理工程で使用するバス（１８、１９）が異なることから、Ｙ／Ｃ処理工程の開始と同時にカードアクセス工程を開始することができ、両工程を並列処理することが可能となっている。なお、画像取込▲１▼、▲２▼の工程中はバス（１９、２１、２２）が占有されるので、カードアクセス工程を並列処理することはできない。
【００２７】
図２で説明した通り、Ｙ／Ｃ処理が完了すると圧縮処理工程に移行する。即ち、Ｙ／Ｃ変換されてＤＲＡＭ３６に格納された画像データは、ＤＲＡＭ３６から第２メモリコントローラ３５及びＤＡＴバス１８を経由して圧縮／伸長回路３８に順次読み出される。圧縮前処理の後、圧縮／伸長回路３８は、受入した輝度信号及び色差信号を所定の形式で圧縮処理し、その圧縮データをＰＣカードインターフェース４０に供給する。こうして、圧縮処理された画像データが順次ＰＣカードインターフェース４０を介してＰＣカード４２に書き込まれる。
【００２８】
ところで、画像取り込みの開始からＰＣカード４２へのデータ書き込みの完了までを撮影記録時間と呼ぶことにすると、この撮影記録時間を一定に保つには、Ｙ／Ｃ処理に要する時間Ｔ1 内に、カードアクセスが完了していることが必要となる。
即ち、Ｙ／Ｃ処理に要する時間をＴ1 、カードアクセスに要する時間をＴ2 とするとき、Ｔ1 ≧Ｔ2 であることが条件となる。仮に、Ｔ1 ＜Ｔ2 となるＰＣカードが装着された場合には、Ｙ／Ｃ処理が終了してもカード情報の読み出しが完了するまで、データの書き込み処理を開始することができず、撮影記録時間が長くなるという不具合がある。従って、本例の電子カメラ１０では、Ｔ1 ＜Ｔ2 となるＰＣカード４２は使用できないものと定めている。
【００２９】
次に、上記の如く構成された電子カメラにおけるカードの判定方法について説明する。
ＣＰＵ３０は、カメラの各回路を総括制御するものであり、図示せぬレリーズボタンやモード設定手段（モードダイヤル）、その他の操作部から入力される各種入力信号に基づいて、該当する回路を制御する手段であると同時に、ＰＣカード４２のアクセス時間を実測し、当該カードが使用できる物であるか否かを判定する手段（測定手段及び判定手段）としての役割を兼備している。
【００３０】
図７は対応カード判定処理のフローチャートである。主電源スイッチと兼用されるモードダイヤルを回動操作して、ダイヤルをＯＦＦ位置から撮影モード、或いは再生モード等のモード位置に設定するとカメラの主電源がＯＮする（ステップＳ１１０）。
この操作によってＣＰＵ３０を含む各回路に電源が投入される（ステップＳ１１２）。次いで、ＣＰＵ３０は、カード装着部に配設されているカード検出手段からの検出信号を読み込み、ＰＣカード４２が装着されているか否かを検出する。この段階でＰＣカード４２が装着されていなければ、液晶表示パネル３３にカード未装着である旨を表示し、ユーザにＰＣカード４２の装着を促す。
【００３１】
ステップＳ１１４においてカードが装着されていることを確認したら、次いでＣＰＵ３０はＰＣカード４２に対してリセットを加える（ステップＳ１１６）。このリセット（パワーオンリセット）によってＰＣカード４２のハード的な準備がなされ、ＰＣカード４２がレディ（ＲＥＡＤＹ）状態に至ると、ＣＰＵ３０にレディ信号が返される。
【００３２】
ＣＰＵ３０は、ＰＣカード４２にリセットをかけた時点からＰＣカード４２がレディ状態に至るまでの時間（応答時間に相当）を監視しており、レディ状態になるまでに要した時間の測定結果に基づいて、ＰＣカード４２の使用の可否を判別する（ステップＳ１１８）。例えば、ＣＰＵ３０はＰＣカード４２にリセットをかけた時点からタイマのカウントをスタートさせ、ＰＣカード４２からレディ信号が返されるまでの時間を測定する。
【００３３】
この測定で得られる時間値は、ＰＣカード４２の真のアクセス速度を反映するものであり、測定で得られた時間の値から、図２で説明したカードアクセス工程に要する時間（アクセス時間）を予測することができる。この予測に基づいて、図２で説明したＹ／Ｃ処理時間Ｔ1 以内にカードアクセス処理（Ｔ2 ）を終了可能であるか否かを推定評価する。
【００３４】
つまり、ＰＣカード４２が規定時間（所定の閾値に相当）内にレディ状態にならない場合には、Ｙ／Ｃ処理時間Ｔ1 よりもカードアクセス処理時間Ｔ2 の方が長くなる（Ｔ1 ＜Ｔ2 ）と判断して、使用不能と判別する。そして、液晶表示パネル（ＬＣＤ）３３にカードを交換すべきことを示す警告表示（例えば、「カード“CHANGE"」なる表示）を行ってユーザにカード交換を促す（ステップＳ１２０）。なお、装着されたＰＣカード４２が使用できない旨をユーザに提示する手段としては、ＬＣＤなどの平面表示手段の他、ＬＥＤ、ランプなどの点灯・点滅表示手段、或いはブザー音などの発音手段、又はこれら手段の組み合わせでもよい。
【００３５】
他方、ステップＳ１１８において、ＰＣカード４２が規定時間内にレディ状態になった場合には、Ｙ／Ｃ処理時間Ｔ1 内にカードアクセス処理が終了する（Ｔ1 ＞Ｔ2 ）と判断して、装着に係るＰＣカード４２が本電子カメラ１０で使用できるものであると判別する。そして、処理はステップＳ１２２へ進み、カード情報の読み出し、及びカードの初期化（レジスタ設定）等の処理を行う。なお、カード情報には、サイズ、種別、速度、Type1 orType2 の区別、などが含まれる。
【００３６】
次いで、ファイルアロケーションテーブル（ＦＡＴ）情報の読み出し、設定を行い、クラスタのサイズを確認する（ステップＳ１２４）。そして、記録枚数の確認を行う（ステップＳ１２６）。
上述の手順を経て、ＰＣカード４２が使用可能な状態にセットされ、カード判定処理が完了する。その後は、電子カメラ制御のメインルーチンへ戻り、例えば撮影開始の指示入力を待機する。
【００３７】
図７のフローチャートでは電源投入時にカード判定を行う例を示したが、ＰＣカード４２の交換時の如く、ＰＣカード４２を装着した時に常に上記動作と同様のカード判定処理を行うように構成されている。
本実施の形態に係る電子カメラによれば、アクセス時間の長いＰＣカード４２の使用を排除することができ、電子カメラの仕様で定めた撮影記録時間（例えば、１秒以下）及び撮影間隔を保証することができる。また、撮影記録時間の遅延がないので、記録処理時間の短縮化を図ることができると共に、消費電流を低減できる。
【００３８】
また、上述の実施の形態では、ＰＣカード４２にリセットを加えてからレディ状態になるまでに要する時間を測定しているが、かかる測定に代えて、ステップＳ１２２に相当するカード情報の読み込みに要する時間を測定してもよい。
次に、本発明の第２の実施の形態について説明する。
図１乃至図７に示した実施の形態では、連写撮影を考慮して、画像の取込工程を２工程（画像取込▲１▼、画像取込▲２▼）に分けているが、連写撮影を考慮しなければ、ＤＲＡＭ２９を用いずにＣＣＤ画像データを直接ＤＲＡＭ３６に格納するという形態も可能である。図８には、ＤＲＡＭ３６を使用しない画像取込処理の例が示されている。図８中図１と共通の部分には同一の符号を付す。
【００３９】
図８に示すように、ＣＣＤ１２から読み出されたアナログ画像信号はＡ／Ｄ変換器１４でデジタル信号に変換され、Ｙ／Ｃ処理部１６及びＣＣＤバス１９を経由して第２メモリコントローラ３５に導かれる。そして、第２メモリコントローラ３５の制御のもとでＲＧＢの画像データがＤＲＡＭ３６に格納される。こうして、ＤＲＡＭ２９を介さずＲＧＢのＣＣＤ画像データをＤＲＡＭ３６に取り込むことができる。
【００４０】
かかる画像取込工程の後、ＤＲＡＭ３６からＲＧＢの画像データを読み出し、Ｙ／Ｃ処理部１６においてＹ／Ｃ処理する工程は図５で説明した例と同様である。また、カードアクセス工程における信号伝達の経路も図６で説明した例と同様である。
図８の如き画像取込処理を行う場合、電子カメラの構成においてＤＲＡＭ２９を省略することができる。また、カメラが連写モードに設定されている時には、図３及び図４で説明した画像取込処理（画像取込▲１▼及び画像取込▲２▼）を実施し、通常の撮影モードに設定されている時には図８で説明した画像取込処理を実施するように、モードによって画像取込処理を切り替えてもよい。
【００４１】
ところで、図８に示した画像取込工程を行うときに使用されるバスは符号１９で示したＣＣＤバスであるのに対し、カードアクセス工程において使用されるバスは、図６で説明したように、符号２０、２１、２２で示したバスである。このように、画像取込工程で使用するバスとカードアクセス工程で使用するバスが異なることから、画像取込工程とカードアクセス工程とを並列処理することが可能となっている。
【００４２】
即ち、図８の画像取込工程を行う電子カメラでは、図９に示すように画像取込工程の開始と同時にカードアクセス工程を開始し、両工程を並列処理する撮影記録シーケンスが組まれる。
この場合、画像取込の開始からＹ／Ｃ処理の終了までの時間Ｔ1 ′内に、カードアクセス工程が完了するか否かによって、カードの使用可否を判定する。即ち、カードアクセス工程に要する時間をＴ2 ′とするとき、Ｔ′＜Ｔ2 ′となるカードは撮影記録時間が遅延するので使用できないものと定める。そして、Ｔ1 ′≧Ｔ2 ′を満たすカードに限り使用可能なものと判定する。
【００４３】
ＣＰＵ３０が、ＰＣカード４２にリセットをかけた時点からＰＣカード４２がレディ状態に至るまでの時間を測定し、その測定で得られた時間の値から、図９に示したカードアクセス工程に要する時間（アクセス時間）Ｔ2 ′を予測して、カードの使用可否を判定する点は図２で説明した例（第１の実施の形態）と同様である。
【００４４】
このように、図９に示した撮影記録シーケンスを有する電子カメラは、図２に示した撮影記録シーケンスを有する電子カメラよりも、カードの使用可否の判定基準を大きくすることができ（Ｔ1 ′＞Ｔ1 ）、アクセス速度が比較的遅いＰＣカードでも使用することができる。
上記各実施の形態では、外部記憶媒体としてＰＣカードを用いているが、データを記録する媒体としては、スマートメディア（イメージメモリーカード）、ＰＣカード、フラッシュメモリーカード、ＩＣカード、フロッピーディスク、光磁気ディスク（ＭＤ、ＭＯ）等、種々の形態が可能である。
【００４５】
また、本発明を適用した電子カメラ１０は、撮影記録時間や撮影間隔の仕様を明確化し、その仕様の動作を保証するという効果を奏するが、画像再生機能の具備する電子カメラにおいて、外部記憶媒体に記録された画像データを読み出して、これを表示装置に表示（再生）するという場合や、外部記憶媒体に格納された画像データをパソコン等の外部機器に転送出力するというような場合には、撮影記録時間を保証するという要求がないので、カード装着時、又は電源投入時に一律にカード判定を行う必要はないとも考えられる。
【００４６】
そこで、カメラのモードに応じてカード判定の実施／不実施を切り替える構成にしてもよい。例えば、再生モードの時には上述のようなカード判別処理を行わないか、又は、使用可否の判定基準となる閾値を変更して、アクセス時間が長い外部記憶媒体をも使用できるようにする態様も可能である。
上記説明では、静止画像を記録する電子カメラを例に述べたが、本発明は、動画を記録する電子カメラにも適用できる。
【００４７】
【発明の効果】
以上説明したように本発明に係る電子カメラシステムによれば、外部記憶媒体個々のアクセス時間を実際に測定し、アクセス時間が長いものについては、使用できないものと判断するようにしたので、真のアクセス時間を正確に把握することができ、使用可否について正しい判定が可能になる。
【００４８】
また、本発明によれば、アクセス時間の長い外部記憶媒体の使用を排除することができ、電子カメラの仕様で定めた撮影記録時間、及び撮影間隔を保証することができる。このように、本発明の電子カメラシステムは、撮影記録時間の遅延がないので、記録処理時間の短縮化を図ることができると共に、消費電流を低減できる。
【図面の簡単な説明】
【図１】本発明の一実施の形態に係る電子カメラの構成を示すブロック図
【図２】本例の電子カメラにおける撮影記録処理のシーケンスを示すタイムチャート
【図３】図２に示した画像取込▲１▼の工程における信号の流れを説明するために用いたブロック図
【図４】図２に示した画像取込▲２▼の工程における信号の流れを説明するために用いたブロック図
【図５】図２に示したＹ／Ｃ処理の工程における信号の流れを説明するために用いたブロック図
【図６】図２に示したカードアクセスの工程における信号の流れを説明するために用いたブロック図
【図７】本実施の形態に係る電子カメラにおけるカード判定処理の手順を示すフローチャート
【図８】本発明の第２の実施の形態における画像取込工程を説明する為に用いたブロック図
【図９】本発明の第２の実施の形態に係る電子カメラにおける撮影記録処理のシーケンスを示すタイムチャート
【符号の説明】
１０…電子カメラ（電子カメラシステム）
１２…ＣＣＤ（撮像手段）
１６…Ｙ／Ｃ処理部
３０…ＣＰＵ（測定手段、判定手段）
３３…液晶表示パネル（警告手段）
３８…圧縮／伸長回路
４０…ＰＣカードインターフェース
４２…ＰＣカード（外部記憶媒体）
【図１】
0003937114.tif 000002
【図２】
0003937114.tif 000003
【図３】
0003937114.tif 000004
【図４】
0003937114.tif 000005
【図５】
0003937114.tif 000006
【図６】
0003937114.tif 000007
【図７】
0003937114.tif 000008
【図８】
0003937114.tif 000009
【図９】
0003937114.tif 000010